(57)【要約】【課題】  赤外線通信と無線通信との両方の通信方式でリモコンと通信可能なＴＶ装置において、通信時の省電力を低減させる。【解決手段】  通常の番組視聴に係る操作は赤外線通信を用い、所定のアプリケーションが起動した場合にリモコンの通信モードを切換えさせて、無線通信を用いてユーザに操作させる。【選択図】  図１
2011091504.tif 000002
【特許請求の範囲】
【請求項１】
第１の通信方式と、前記第１の通信方式に比べて通信時の消費電力が大きい第２の通信方式とを用いて遠隔操作装置と通信するための通信手段を有するＴＶ装置であって、
放送信号により送信される放送番組に係る映像を表示させるとともに、前記放送番組以外のアプリケーションに係る映像を、表示手段に表示させる映像処理手段と、
前記映像処理手段が、前記放送番組に係る映像を表示させているときには、前記第１の通信方式を用いて前記遠隔操作装置と通信し、前記放送番組以外の所定のアプリケーションに係る映像を表示させるときには、前記第２の通信方式を用いて前記遠隔操作装置と通信するように前記通信手段を制御する制御手段とを有することを特徴とするＴＶ装置。
【請求項２】
前記制御手段は、前記映像処理手段が前記放送番組以外の所定のアプリケーションに係る映像を表示させる前に、前記遠隔操作装置の通信モードを前記第１の通信方式から前記第２の通信方式へ切換えるようにユーザに指示する画像を表示させるように前記映像処理手段を制御する請求項１記載のＴＶ装置。
【請求項３】
前記第１の通信方式は赤外線を通信媒体とし、前記第２の通信方式ではＧＨｚ帯の電波を通信媒体としている請求項１記載のＴＶ装置。
【請求項４】
前記所定のアプリケーションは、撮影装置で撮影された映像の映像データを表示するためのアプリケーション又はデータ放送により配信されるアプリケーションである請求項１記載のＴＶ装置。
【請求項５】
前記所定のアプリケーションは、前記遠隔操作装置との間で双方向通信を行う方式のものである請求項１記載のＴＶ装置。
【請求項６】
第１の通信方式と、前記第１の通信方式に比べて通信時の消費電力が大きい第２の通信方式とを用いて遠隔操作装置と通信するための通信手段を有するＴＶ装置の制御方法であって、
放送信号により送信される放送番組に係る映像を表示させるとともに、前記放送番組以外のアプリケーションに係る映像を、表示手段に表示させるステップと、
前記放送番組に係る映像を表示させているときには、前記第１の通信方式を用いて前記遠隔操作装置と通信し、前記放送番組以外の所定のアプリケーションに係る映像を表示させているときには、前記第２の通信方式を用いて前記遠隔操作装置と通信するように前記通信手段を制御するステップとを有することを特徴とするＴＶ装置の制御方法。
【発明の詳細な説明】
【技術分野】
【０００１】
本発明は、赤外線通信と無線通信との両方の通信モードを有するリモコンにより制御されるＴＶ装置に関する。
【背景技術】
【０００２】
従来、ＴＶ装置は赤外線通信を用いてリモコンにより制御されるのが一般的であった。近年、通信距離が長く、障害物の影響も受けにくい無線通信による制御も検討されている。
【０００３】
下記特許文献１では、リモコンからの電源オン信号は赤外線通信で再生装置へ送信され、電源オンの後は、無線通信により制御信号を送信する無線通信システムが記載されている。これによりユーザの操作性が向上することが記載されている。
【先行技術文献】
【特許文献】
【０００４】
【特許文献１】特開２００７−２５８９８４号公報
【発明の概要】
【発明が解決しようとする課題】
【０００５】
従来は、赤外線通信と無線通信との両方の通信モードを有するリモコンでＴＶ装置を制御する場合、無線通信を用いて制御する頻度が高かったので通信時に要する消費電力が高かった。
【課題を解決するための手段】
【０００６】
本発明のＴＶ装置は、第１の通信方式と、前記第１の通信方式に比べて通信時の消費電力が大きい第２の通信方式とを用いて遠隔操作装置と通信するための通信手段を有するＴＶ装置であって、
放送信号により送信される放送番組に係る映像を表示させるとともに、前記放送番組以外のアプリケーションに係る映像を、表示手段に表示させる映像処理手段と、
前記映像処理手段が、前記放送番組に係る映像を表示させているときには、前記第１の通信方式を用いて前記遠隔操作装置と通信し、前記放送番組以外の所定のアプリケーションに係る映像を表示させるときには、前記第２の通信方式を用いて前記遠隔操作装置と通信するように前記通信手段を制御する制御手段とを有することを特徴とする。
【発明の効果】
【０００７】
本発明によれば、無線通信での制御が有効なアプリケーション使用時において無線通信を用いるように制限し、他の通信には赤外線通信を用いることにより、通信時に要する消費電力を低減することができる。
【図面の簡単な説明】
【０００８】
【図１】本発明に係るＴＶ装置の構成を示すブロック図。
【図２】本発明の動作を示すフローチャート。
【図３】本発明のアプリケーションを起動した場合の説明図。
【図４】本発明の表示画面の例を示す模式図。
【図５】本発明の他の動作を示すフローチャート。
【図６】本発明の他の動作を示すフローチャート。
【発明を実施するための形態】
【０００９】
（実施形態１）
図１は、本発明のＴＶ装置の構成を模式的に示したブロック図である。受信部１０５で受信されたデジタル放送信号は、映像信号・音声信号・番組データに分離されて各々デコード処理を施される。映像信号は映像処理部１０７で、スケーリングやγ変換等の信号処理されて表示装置１０９へ出力される。表示装置１０９の表示画面３０１には、放送番組に係る映像が表示される。表示装置１０９は、ＴＶ装置１０１に内蔵されていてもよい。リモコン１０２（遠隔操作装置）は、片方向の赤外線通信１０３（第１の通信方式）と双方向の無線通信１０４（第２の通信方式）とを選択的に用い、通信部１０６を介してＴＶ装置１０１を操作することができる。制御部１０８は、受信部１０５、通信部１０６、映像処理部１０７をそれぞれ連携制御する。
【００１０】
無線通信１０４は、ＧＨｚ帯の電波を通信媒体とした通信方式であり、例えば、２．４５ＧＨｚ帯のＢｌｕｅｔｏｏｔｈ（登録商標）が用いられる。赤外線通信は、無線通信に比べて通信時の消費電力が少ない。従って、ＴＶ装置１０１の電源オン・オフや選局操作、音量・画質設定、入力選択等の放送番組視聴に係わる通常の操作では赤外線通信が用いられる。それに対して無線通信は、放送番組の視聴以外の特定のアプリケーションを実行した場合に、そのアプリケーションでのコマンド送受信に用いられる。即ち、ＴＶ装置１０１は、映像処理部１０７が、放送番組に係る映像を表示画面３０１に表示させているときには、赤外線通信方式を用いてリモコン１０２と通信する。一方、放送番組以外の所定のアプリケーションに係る映像を表示させるときには、無線通信方式を用いてリモコン１０２と通信する。
【００１１】
図２は、デジタルカメラ（撮影装置）で撮影された写真（映像データ）をＴＶ装置１０１で視聴する場合の、ＴＶ装置１０１の動作を示したフローチャートである。ＴＶ装置１０１で放送番組を視聴中に、デジタルカメラで撮影された画像データを記憶したＳＤカードが不図示のカードスロットに挿入されると、制御部１０８は、以下の制御を行う。放送番組に係る映像信号の出力を停止し、記憶手段に格納されているフォトビューアのアプリケーションを自動的に起動させる（ＳＴＡＲＴ）。アプリケーションは、赤外線通信１０３及び無線通信１０４の何れの通信モードでも制御可能である。無線通信１０４を使用した場合は、赤外線通信１０３を使用した場合に比べて、通信速度が速く、通信情報量も多いので、ユーザはより迅速な操作を行うことができる。アプリケーションが起動すると、図４に示すような、リモコン１０２の通信モードを無線通信に切換えることをユーザに指示するＧＵＩ画像を表示する（Ｓ２０１）。ユーザがリモコン１０２の通信モードを無線通信に切換えると、リモコン１０２より無線通信接続要求コマンドが送信され、ＴＶ装置１０１が受信する（Ｓ２０２）。リモコン１０２が無線通信機能付きでない場合は、無線通信接続要求コマンドが送信されない。ＴＶ装置１０１は、リモコン１０２からの無線通信接続要求コマンドをＧＵＩ画像表示後所定期間内に受信しなかった場合は、赤外線通信によりアプリケーションが制御されるように通信プロトコルを設定する。無線通信接続要求コマンドをＴＶ装置１０１が受信すると、無線通信によりアプリケーションが制御されるように通信プルトコルが変更される（Ｓ２０３）。ユーザは、無線通信によるリモコン１０２操作で、表示画像の選択やデータから表示効果の付加等をスムーズに行うことができる。また、図３に示したように、ＴＶ装置１０１の表示画面３０１上に、アプリケーションに係る映像としてサムネイル画像３０２を表示した場合に、以下のような機能をアプリケーションが持つこともできる。選択された画像の画像データを、無線通信を用いてリモコン１０２に送信し、リモコン１０２の表示部３１０に選択画像を表示させることにより、ユーザは選択操作を容易に行うことができる。リモコン１０２より、無線通信によるアプリケーションの終了コマンドがＴＶ装置１０１に送信されると（Ｓ２０４）、ＴＶ装置１０１は、リモコン１０２に通信モード切換え要求コマンドを送信する（Ｓ２０５）。リモコン１０２は、通信モード切換え要求コマンドを受信すると、通信モードを赤外線通信に切換える。ＴＶ装置１０１は、通信プロトコルを赤外線通信に切換える（Ｓ２０６）。
【００１２】
（実施形態２）
図５は、本発明の他の実施形態を示すフローチャートである。アプリケーションは、リモコン１０２の「アプリ」ボタンの押下により起動させる（ＳＴＡＲＴ）。このときリモコン１０２の通信モードは無線通信に切換わる。リモコン１０２より無線通信接続要求コマンドが送信され、ＴＶ装置１０１が受信する（Ｓ５０１）と、無線通信によりアプリケーションが制御されるように通信プルトコルが変更される（Ｓ５０２）。ユーザは、通信モードを切換えることなく、無線通信によりアプリケーション上でのコマンド操作を行うことができる。リモコン１０２より、無線通信によるアプリケーションの終了コマンドをＴＶ装置１０１が受信すると（Ｓ５０３）、ＴＶ装置１０１は、リモコン１０２に通信モード切換え要求コマンドを送信する（Ｓ５０４）。リモコン１０２は、通信モード切換え要求コマンドを受信すると、通信モードを赤外線通信に切換える。ＴＶ装置１０１は、通信プロトコルを赤外線通信に切換える（Ｓ５０５）。
【００１３】
無線通信により制御されるアプリケーションとしては、音楽プレイヤーでもよい。音楽プレイヤーが起動されると、ＴＶ装置１０１の画面表示は消去され、スピーカから音声のみが出力される。ＴＶ装置１０１からは、音楽リストのデータがリモコン１０２に送信される。ユーザは、ＴＶ装置１０１から離れた場所でも、リモコン１０２の表示部３１０に表示された音楽リストを参照して好みの音楽を選択して聴くことができる。
【００１４】
（実施形態３）
図６は、データ放送で送信されたアプリケーションプログラムをダウンロードして、ユーザ操作によりアプリケーションを実行させる場合の、ＴＶ装置１０１の動作を示したフローチャートである。このアプリケーションは、赤外線通信の場合と無線通信の場合とで異なるサービスが提供されているもの（双方向タイプ）を含んでいる。赤外線通信の場合と無線通信の場合とで提供されるサービスが同じのもの（片方向タイプ）も含まれている。制御部１０８は、双方向タイプのアプリケーションが選択された場合は、無線通信を選択し、片方向タイプの場合は、赤外線通信を選択する。その結果、アプリケーション実行中における通信時の消費電力をも低減できる。
【００１５】
ユーザは、放送番組を視聴中に、リモコン１０２の「ｄ」ボタンを押すことにより、同じ放送局から送信されるデータ放送に画面が切換る（ＳＴＡＲＴ）。リモコン１０２の「ｄ」ボタンが押されたことにより、リモコン１０２の通信モードは無線通信に切換る。リモコン１０２より無線通信接続要求コマンドが送信され、ＴＶ装置１０１が受信する（Ｓ６０１）。無線通信接続要求コマンドをＴＶ装置１０１が受信すると、無線通信によりデータ放送画面が制御されるように通信プルトコルが変更される（Ｓ６０２）。データ放送画面では、データ放送で提供されているアプリケーションのリストが提示され、ユーザはリストから実行したいアプリケーションを選択する（Ｓ６０３）。アプリケーションはＪＡＶＡ（登録商標）言語により記述されており、ＴＶ装置１０１には、ＪＡＶＡ（登録商標）言語により記述されたアプリケーションを実行できるＣＰＵが搭載されている。選択されたアプリケーションが双方向タイプの場合は、そのままアプリケーションが起動する（Ｓ６０４）。選択されたアプリケーションが片方向タイプの場合は、ＴＶ装置１０１は通信モード切換え要求コマンドをリモコン１０２に送信する（Ｓ６０５）。リモコン１０２は、通信モード切換え要求コマンドを受信すると、通信モードを赤外線通信に切換え、赤外線通信接続要求コマンドをＴＶ装置１０１に送信する。ＴＶ装置１０１は、赤外線通信接続要求コマンドを受信する（Ｓ６０６）と、通信プロトコルを赤外線通信に切換える（Ｓ６０７）。アプリケーションは、赤外線通信１０３を用いて起動され、実行される。無線通信により制御されるアプリケーションが実行されている場合は、アプリケーションを終了後も、通信モードは無線通信のままである。ユーザ操作によりデータ放送の視聴を終了した場合（Ｓ６０８）に、ＴＶ装置１０１は、リモコン１０２に通信モード切換え要求コマンドを送信し（Ｓ６０９）、放送番組画面に切換える。リモコン１０２は、通信モード切換え要求コマンドを受信すると、通信モードを赤外線通信に切換える（Ｓ６１０）。
【００１６】
このように、無線通信が有効なアプリケーションでは無線通信を用い、無線通信が有効でないアプリケーションでは赤外線通信を用いることにより、アプリケーション起動中での消費電力を低減することができる。
【００１７】
ここでのアプリケーションは、ゲームである。無線通信を用いた場合のサービスとして、ゲーム画面中のアイテムの操作に必要な情報が、双方向通信を用いて、ＴＶ装置１０１からリモコン１０２に送信される。ユーザは、リモコンの表示部３０２に表示された情報画像を参照しながらゲームを操作することができる。
【００１８】
本発明で用いられる他のアプリケーションとしては、データ放送やインターネット経由で配信される電子番組表（ＥＰＧ）や、番組連動型のアプリケーションがある。
【符号の説明】
【００１９】
１０１  ＴＶ装置
１０２  リモコン装置
１０３  赤外線通信
１０４  無線通信
１０５  受信部
１０６  通信部
１０７  映像処理部
１０８  制御部
１０９  表示装置
【図１】
2011091504.tif 000003
【図２】
2011091504.tif 000004
【図３】
2011091504.tif 000005
【図４】
2011091504.tif 000006
【図５】
2011091504.tif 000007
【図６】
2011091504.tif 000008